(57)【要約】【課題】  受話側の通信端末で聞き取り易い受話音声が得られるようにし、送話側の通信端末が有する音声補正機能を必要に応じて有効に活用できるようにする。【解決手段】  送話側の携帯電話端末１ａは、相手先端末１ｂとの音声通話を行っている間、自端末が備える音声補正機能に関するデータを必要に応じて相手先端末１ｂへ送信する。受話側の携帯電話端末１ｂは、相手先端末１ａと音声通話が行われている間に、その端末１ａが備える音声補正機能に関するデータを受信した時には、その音声補正機能についての情報をユーザＢへ知らせ、相手先端末１ａの音声補正機能の変更をユーザＢが望む時には、相手先端末１ａへ音声補正機能の「変更要求」を送る。携帯電話端末１ａは、相手先端末１ｂから音声補正機能の「変更要求」を受信した時には、その「変更要求」に基づいて音声補正処理の制御を行う。【選択図】  図１
2008098841.tif 000002
【特許請求の範囲】
【請求項１】
少なくとも音声通話のための通信を行う音声通信装置において、
音声を取り込むための音声入力部と、
上記音声入力部からの入力音声に対して必要に応じて所定の音声補正処理を施す音声補正処理部と、
通信相手先装置との間で通信を行うための通信部と、
上記通信相手先装置との間で上記通信部を介して音声通話が行われている間、上記音声補正処理部が備える音声補正機能に関するデータを必要に応じて上記通信部から上記通信相手先装置へ送信させ、上記通信相手先装置から自装置の上記音声補正処理部が備える音声補正機能に対する変更要求を上記通信部を通じて受信した時には、当該変更要求に基づいて上記音声補正処理部の音声補正処理の制御を行う制御部とを有する、
ことを特徴とする音声通信装置。
【請求項２】
上記制御部は、上記音声補正機能に関するデータとして、少なくとも上記音声補正処理部が備える音声補正機能の種類と音声補正機能の調整パラメータのデータを上記通信部から上記通信相手先装置へ送信させ、上記通信相手先装置から自装置の音声補正処理部が備える音声補正機能の種類又は音声補正機能の調整パラメータの変更要求を上記通信部を通じて受信した時には、その変更要求に基づいて上記音声補正処理部の音声補正処理を制御することを特徴とする請求項１記載の音声通信装置。
【請求項３】
上記変更要求に基づく上記音声補正処理部の音声補正処理に対する制御の許可／拒否に関する設定データを保持するデータ保持部を有し、
上記制御部は、上記データ保持部に保持されている上記設定データに応じて、上記変更要求に基づく上記音声補正処理部の音声補正処理の制御を実行するかどうか判定することを特徴とする請求項１記載の音声通信装置。
【請求項４】
上記音声補正処理部が備える音声補正機能に関するデータの送信の許可／拒否に関する設定データを保持するデータ保持部を有し、
上記制御部は、上記データ保持部に保持されている上記設定データに応じて、上記音声補正機能に関するデータの送信を実行するかどうか判定することを特徴とする請求項１記載の音声通信装置。
【請求項５】
少なくとも音声通話のための通信を行う音声通信装置において、
通信相手先装置との間で通信を行うための通信部と、
使用者に対して情報の通知を行うための通知部と、
使用者からの入力操作を取得する操作入力部と、
上記通信相手先装置との間で上記通信部を介して音声通話が行われている間、上記通信相手先装置が備える音声補正機能に関するデータを上記通信部を通じて受信した時には、上記音声補正機能に関するデータに基づく情報を上記通知部を介して使用者へ通知させ、上記通信相手先装置の音声補正機能の変更に関する所定の操作が上記使用者から上記操作入力部を介して入力された時には、上記所定の操作に応じた上記音声補正機能の変更要求データを生成して、上記通信部から上記通信相手先装置へ送信させる制御部とを有する、
ことを特徴とする音声通信装置。
【請求項６】
上記制御部は、上記音声補正機能に関するデータとして、上記通信相手先装置が備える音声補正機能の種類と音声補正機能の調整パラメータのデータを上記通信部を通じて受信した時に、上記音声補正機能の種類と音声補正機能の調整パラメータのデータに基づく情報を上記通知部を介して使用者へ通知させ、上記通信相手先装置の音声補正機能の種類又は音声補正機能の調整パラメータの変更に関する所定の操作が上記使用者から上記操作入力部を介して入力された時に、上記所定の操作に応じた上記音声補正機能の種類又は音声補正機能の調整パラメータの変更要求データを生成して、上記通信部から上記通信相手先装置へ送信させることを特徴とする請求項５記載の音声通信装置。
【請求項７】
少なくとも音声通話のための通信を行う音声通信装置を有する音声通信システムにおいて、
送話側となる音声通信装置は、音声を取り込むための音声入力部と、上記音声入力部からの入力音声に対して必要に応じて所定の音声補正処理を施す音声補正処理部と、通信相手先装置との間で通信を行うための通信部と、上記通信相手先装置との間で上記通信部を介して音声通話が行われている間、上記音声補正処理部が備える音声補正機能に関するデータを必要に応じて上記通信部から上記通信相手先装置へ送信させ、上記通信相手先装置から自装置の上記音声補正処理部が備える音声補正機能の変更要求を上記通信部を通じて受信した時には、当該変更要求に基づいて、上記音声補正処理部の音声補正処理の制御を行う制御部とを少なくとも備え、
受話側となる音声通信装置は、通信相手先装置との間で通信を行うための通信部と、使用者に対して情報の通知を行うための通知部と、使用者からの入力操作を取得する操作入力部と、上記通信相手先装置との間で上記通信部を介して音声通話が行われている間、上記通信相手先装置が備える音声補正機能に関するデータを上記通信部を通じて受信した時には、上記音声補正機能に関するデータに基づく情報を上記通知部を介して使用者へ通知させ、上記通信相手先装置の音声補正機能の変更に関する所定の操作が上記使用者から上記操作入力部を介して入力された時には、上記所定の操作に応じた上記音声補正機能の変更要求データを生成して、上記通信部を介して上記通信相手先装置へ送信させる制御部とを少なくとも備える、
ことを特徴とする音声通信システム。
【請求項８】
少なくとも音声通話のための通信を行う際の音声通信制御方法において、
音声入力部が音声を取り込むステップと、
上記音声入力部からの入力音声に対して音声補正処理部が必要に応じて所定の音声補正処理を施すステップと、
通信相手先装置との間で通信部を介して音声通話が行われている間、上記音声補正処理部が備える音声補正機能に関するデータを、制御部が必要に応じて通信部から上記通信相手先装置へ送信させるステップと、
上記通信相手先装置との間で通信部を介して音声通話が行われている間、上記通信相手先装置から自装置の音声補正処理部が備える音声補正機能の変更要求を通信部が受信した時には、制御部が、当該変更要求に基づいて、上記音声補正処理部の音声補正処理を制御するステップとを有する、
ことを特徴とする音声通信制御方法。
【請求項９】
少なくとも音声通話のための通信を行う際の音声通信制御方法において、
通信相手先装置との間で音声通話が行われている間、上記通信相手先装置が備える音声補正機能に関するデータを通信部が受信した時には、制御部が、上記音声補正機能に関するデータに基づく情報を通知部を通じて使用者へ通知させるステップと、
上記通信相手先装置との間で音声通話が行われている間、上記通信相手先装置の音声補正機能の変更に関する所定の操作が使用者から操作部を通じて入力された時には、上記所定の操作に応じた上記音声補正機能の変更要求データを、制御部が生成して、通信部を介して上記通信相手先装置へ送信させるステップとを有する、
ことを特徴とする音声通信制御方法。
【請求項１０】
音声を取り込むための音声入力部と、通信相手先装置との間で通信を行うための通信部とを有し、少なくとも音声通話のための通信を行う音声通信装置の音声通信制御プログラムにおいて、
上記音声入力部からの入力音声に対して必要に応じて所定の音声補正処理を施す音声補正処理部と、
上記通信相手先装置との間で上記通信部を介して音声通話が行われている間、上記音声補正処理部が備える音声補正機能に関するデータを必要に応じて上記通信部から上記通信相手先装置へ送信させ、上記通信相手先装置から自装置の上記音声補正処理部が備える音声補正機能の変更要求を上記通信部を通じて受信した時には、当該変更要求に基づいて、上記音声補正処理部の音声補正処理を制御する制御部として、
音声通信装置を機能させることを特徴とする音声通信制御プログラム。
【請求項１１】
通信相手先装置との間で通信を行うための通信部と、使用者に対して情報の通知を行うための通知部と、使用者からの入力操作を取得する操作入力部とを有し、少なくとも音声通話のための通信を行う音声通信装置の音声通信制御プログラムにおいて、
上記通信相手先装置との間で上記通信部を介して音声通話が行われている間、上記通信相手先装置が備える音声補正機能に関するデータを上記通信部を通じて受信した時には、上記音声補正機能に関するデータに基づく情報を上記通知部を介して使用者へ通知させ、上記通信相手先装置の音声補正機能の変更に関する所定の操作が上記使用者から上記操作入力部を介して入力された時には、上記所定の操作に応じた上記音声補正機能の変更要求データを生成して、上記通信部から上記通信相手先装置へ送信させる制御部として、
音声通信装置を機能させることを特徴とする音声通信制御プログラム。
【発明の詳細な説明】
【技術分野】
【０００１】
本発明は、例えば音声通話を行う音声通信装置と、音声通話を行うための音声通信システムと、音声通話のための通信を行う際の音声通信制御方法及び音声通信制御プログラムに関する。
【背景技術】
【０００２】
近年は、携帯電話端末等の音声通話が可能な通信機器において、送話側にてノイズキャンセル等の音声補正処理を行うシステムが開発されている。
【０００３】
例えば、特開平９−３２６８４４号の公開特許公報（特許文献１）には、入力音声中の特定成分を除去し、その特定成分除去後の音声信号を増幅して一定レベルの出力を得るようにし、そのレベル調整後の音声信号を送信するようにしたことで、送話側の装置において、通話音声を除く周囲の環境騒音を低減し、且つレベル変動の少ない、送話音質の良い送話信号を受信側へ送出可能とした、騒音低減通話装置及び騒音低減通話方法が開示されている。
【０００４】
【特許文献１】特開平９−３２６８４４号公報（図１）
【発明の開示】
【発明が解決しようとする課題】
【０００５】
ところで、上述したような音声補正機能を送話側となる通信機器が備えている場合、通話状況によっては、その音声補正処理により本来必要なデータまで失われてしまうようなことが起こる可能性がある。すなわち例えば、通話時の周囲環境騒音が非常に大きかったり、環境騒音の成分が通話音声の成分に非常に近いような場合、送話側の通信機器にて実行された音声補正処理により、その送話音声から本来必要な音声レベルや音声成分までもが補正（例えば除去）されてしまう虞がある。特に、今後、送話側の通信機器が有する音声補正機能が強化されていったような場合には、そのようなことが起こる可能性が高くなる。
【０００６】
このように、送話側となる通信機器が有する音声補正機能により、例えば送話音声から本来必要なデータが失われてしまったような場合、その送話音声を受け取った受話側の通信機器では、当該必要なデータが失われた非常に聞き難い受話音声しか得られないことになる。
【０００７】
また、送話側の通信機器にて例えば周囲環境音を除去する音音声補正処理が実行されている場合、受話側の通信機器の使用者は、送話側の通信機器の使用者による送話音声しか聴くことができなくなる。しかしながら、音声通話の際に、受話側の通信機器の使用者が聴きたいのは、送話者の音声のみであるとは限らず、その送話者の周囲環境音をも聴きたいと思う場合もあり得る。
【０００８】
本発明は、このような実情に鑑みて提案されたものであり、送話側の音声通信装置が有する音声補正機能により、送話音声から本来必要なデータが失われてしまうような状況の発生を無くして、受話側の音声通信装置で聞き取り易い受話音声が得られるようにし、また、受話側の音声通信装置の使用者が送話音声と同時にその周囲の環境音が聴きたい場合にも対応可能とし、送話側の音声通信装置が有する音声補正機能を必要に応じて有効に活用可能とする、音声通信装置、音声通信システム、音声通信制御方法、及び音声通信制御処理プログラムを提供することを目的とする。
【課題を解決するための手段】
【０００９】
本発明の音声通信装置は、少なくとも音声通話のための通信を行う通信装置であり、音声を取り込むための音声入力部と、音声入力部からの入力音声に対して必要に応じて所定の音声補正処理を施す音声補正処理部と、通信相手先装置との間で通信を行うための通信部と、通信相手先装置との間で音声通話が行われている間、音声補正処理部が備える音声補正機能に関するデータを必要に応じて通信相手先装置へ送信させ、通信相手先装置から自装置の音声補正処理部が備える音声補正機能に対する変更要求を受信した時には、その変更要求に基づいて音声補正処理部の音声補正処理の制御を行う制御部とを有することにより、上述した課題を解決する。
【００１０】
また、本発明の音声通信装置は、少なくとも音声通話のための通信を行う通信装置であり、通信相手先装置との間で通信を行うための通信部と、使用者に対して情報の通知を行うための通知部と、使用者からの入力操作を取得する操作入力部と、通信相手先装置との間で音声通話が行われている間、通信相手先装置が備える音声補正機能に関するデータを受信した時には、音声補正機能に関するデータに基づく情報を使用者へ通知し、通信相手先装置の音声補正機能の変更に関する所定の操作が使用者から入力された時には、所定の操作に応じた音声補正機能の変更要求データを生成して通信相手先装置へ送信させる制御部とを有することにより、上述した課題を解決する。
【００１１】
また、本発明の音声通信システムは、少なくとも音声通話のための通信を行う音声通信装置を有するシステムであり、送話側となる音声通信装置は、音声を取り込むための音声入力部と、音声入力部からの入力音声に対して必要に応じて所定の音声補正処理を施す音声補正処理部と、通信相手先装置との間で通信を行うための通信部と、通信相手先装置との間で音声通話が行われている間、音声補正処理部が備える音声補正機能に関するデータを必要に応じて通信相手先装置へ送信させ、通信相手先装置から自装置の音声補正処理部が備える音声補正機能の変更要求を受信した時には、当該変更要求に基づいて、音声補正処理部の音声補正処理の制御を行う制御部とを少なくとも備え、一方、受話側となる音声通信装置は、通信相手先装置との間で通信を行うための通信部と、使用者に対して情報の通知を行うための通知部と、使用者からの入力操作を取得する操作入力部と、通信相手先装置との間で音声通話が行われている間、通信相手先装置が備える音声補正機能に関するデータを受信した時には、音声補正機能に関するデータに基づく情報を使用者へ通知し、通信相手先装置の音声補正機能の変更に関する所定の操作が使用者から入力された時には、所定の操作に応じた音声補正機能の変更要求データを生成して通信相手先装置へ送信させる制御部とを少なくとも備えることにより、上述した課題を解決する。
【００１２】
また、本発明の音声通信制御方法は、少なくとも音声通話のための通信を行う際の通信制御方法であり、音声を取り込むステップと、入力音声に対して必要に応じて所定の音声補正処理を施すステップと、通信相手先装置との間で音声通話が行われている間、音声補正機能に関するデータを必要に応じて通信相手先装置へ送信させるステップと、通信相手先装置との間で音声通話が行われている間、通信相手先装置から自装置の音声補正機能の変更要求を通信部が受信した時には、当該変更要求に基づいて音声補正処理を制御するステップとを有することにより、上述した課題を解決する。
【００１３】
また、本発明の音声通信制御方法は、少なくとも音声通話のための通信を行う際の通信制御方法であり、通信相手先装置との間で音声通話が行われている間、通信相手先装置が備える音声補正機能に関するデータを通信部が受信した時には、音声補正機能とに関するデータに基づく情報を使用者へ通知するステップと、通信相手先装置との間で音声通話が行われている間、通信相手先装置の音声補正機能の変更に関する所定の操作が使用者から入力された時には、所定の操作に応じた音声補正機能の変更要求データを生成して通信相手先装置へ送信させるステップとを有することにより、上述した課題を解決する。
【００１４】
また、本発明の音声通信制御プログラムは、音声を取り込むための音声入力部と、通信相手先装置との間で通信を行うための通信部とを有し、少なくとも音声通話のための通信を行う音声通信装置の通信制御プログラムであり、音声入力部からの入力音声に対して必要に応じて所定の音声補正処理を施す音声補正処理部と、通信相手先装置との間で音声通話が行われている間、音声補正処理部が備える音声補正機能に関するデータを必要に応じて通信相手先装置へ送信させ、通信相手先装置から自装置の音声補正処理部が備える音声補正機能の変更要求を受信した時には、当該変更要求に基づいて、音声補正処理部の音声補正処理を制御する制御部として、音声通信装置を機能させることにより、上述した課題を解決する。
【００１５】
また、本発明の音声通信制御プログラムは、通信相手先装置との間で通信を行うための通信部と、使用者に対して情報の通知を行うための通知部と、使用者からの入力操作を取得する操作入力部とを有し、少なくとも音声通話のための通信を行う音声通信装置の音声通信制御プログラムであり、通信相手先装置との間で音声通話が行われている間、通信相手先装置が備える音声補正機能に関するデータを受信した時には、音声補正機能に関するデータに基づく情報を使用者へ通知し、通信相手先装置の音声補正機能の変更に関する所定の操作が使用者から入力された時には、所定の操作に応じた音声補正機能の変更要求データを生成して通信相手先装置へ送信させる制御部として、音声通信装置を機能させることにより、上述した課題を解決する。
【００１６】
すなわち、本発明によれば、送話側となる音声通信装置は、自装置における音声補正機能に関するデータを受話側の音声通信装置へ送る。これにより、受話側の音声通信装置は、送話側の音声通信装置から送られてきた音声補正機能に関するデータを元に、当該送話側の音声通信装置にてどのような音声補正処理が行われているかを知ることができる。そして、受話側の音声通信装置は、必要に応じて送話側の音声通信装置における音声補正機能の変更を要求し、一方、送話側の音声通信装置は、その変更要求に基づいて音声補正機能の変更制御を実行する。
【発明の効果】
【００１７】
本発明によれば、音声通話が行われる際に、それら音声通話を行っている両装置のうち、送話側となる装置に音声補正機能が搭載されている場合に、その送話側となる装置からの音声信号を受信する受話側の装置にて、当該送話側の装置における音声補正機能の状態を把握及び操作可能となされているため、送話側の音声通信装置が有する音声補正機能により、送話音声から本来必要なデータが失われてしまうような状況の発生を無くすことができ、受話側の音声通信装置で聞き取り易い受話音声が得られることになり、また、受話側の音声通信装置の使用者が送話音声と同時にその周囲の環境音が聴きたい場合にも対応可能となり、送話側の音声通信装置が有する音声補正機能を必要に応じて有効に活用することが可能となっている。
【発明を実施するための最良の形態】
【００１８】
以下、図面を参照しながら、本発明の一実施形態について説明する。
【００１９】
なお、本実施形態では、本発明の一例として、携帯電話端末及び携帯電話システムを挙げているが、勿論、ここで説明する内容はあくまで一例であり、本発明はこの例に限定されないことは言うまでもなく、例えば音声通話機能を備えたＰＤＡ（Personal Digital Assistants）等の各種の携帯端末にも適用可能である。
【００２０】
〔概略的なシステム構成〕
図１及び図３には、本発明実施形態の携帯電話システムの概略的な構成を示す。なお、図１及び図３の例では、ユーザＡが携帯電話端末１ａを使用し、ユーザＢが携帯電話端末１ｂを使用し、それらユーザＡの携帯電話端末１ａとユーザＢの携帯電話端末１ｂが、携帯電話網５を通じて通信可能（通話可能）となっている状態を表している。
【００２１】
〔送話側の携帯電話端末の機能〕
本実施形態において、上記携帯電話端末１ａ，１ｂの少なくとも一方の携帯電話端末（本実施形態ではユーザＡの携帯電話端末１ａとする）は、図１に示すように、ユーザＡの送話音声に対して所定の音声補正処理を実行する機能（音声補正機能）と、少なくとも自端末１ａにおける音声補正機能に関するデータ（本実施形態では例えば音声補正機能の種類及びその音声補正処理の調整パラメータに関するデータ）を上記送話音声のデータと共に相手方の携帯電話端末（この場合はユーザＢの携帯電話端末１ｂ）へ送信する機能とを備えている。
【００２２】
すなわち、本実施形態において、ユーザＡの携帯電話端末１ａは、上記所定の音声補正機能の一例として、送話音声信号から例えば周囲環境騒音成分を除去するようなノイズキャンセル機能を有しており、そのノイズキャンセル機能を「オン／オフ」可能となされている。また、本実施形態において、上記ユーザＡの携帯電話端末１ａは、上記音声補正処理により上記送話音声へ施す音声補正量（この例ではノイズキャンセル処理のレベル）を例えば複数段階に調整可能となされている。そして、本実施形態のユーザＡの携帯電話端末１ａは、上記送話音声のデータをユーザＢの携帯電話端末１ｂへ送信している時に、自端末１ａが備えている音声補正機能の種類（この場合はノイズキャンセル機能）と、その音声補正機能が実行（ノイズキャンセル機能のオン）されているか或いは停止されているか（ノイズキャンセル機能のオフ）を表すデータを、上記音声補正機能の種類に関するデータとして送信し、また、上記音声補正量（ノイズキャンセルのレベル）を表すデータを、上記音声補正処理の調整パラメータに関するデータとして送信する。
【００２３】
勿論、それら音声補正機能としてのノイズキャンセル機能、そのノイズキャンセル機能の「オン／オフ」、調整パラメータとしての上記ノイズキャンセルのレベル等はあくまで一例であり、上記音声補正機能は、複数種類であっても、また、ノイズキャンセル以外の機能であっても良い。ノイズキャンセル機能以外のものとしては、例えば、送話音声を取り込むためのマイクロホンの指向性を調整或いは切り替えて周囲環境の騒音を取り込まないようにする機能などを挙げることができる。
【００２４】
なお、上記音声補正処理の調整パラメータに関するデータを送信する際には、例えば当該携帯電話端末１ａにて設定可能な音声補正範囲がどの程度まであり、且つ、現時点における補正量が上記音声音声範囲内のどのレベルにあるのかを表すデータをも同時に送信することが望ましい。このように、音声補正範囲と現時点での補正量を表すデータを送信すれば、そのデータを受け取った携帯電話端末１ｂ側では、携帯電話端末１ａ側でどの程度の音声補正処理が行われているのかを知ることができるようになる。
【００２５】
また本実施形態において、上記音声補正機能の種類及び音声補正処理の調整パラメータに関するデータの送信は、音声通話中にデータを送受信することが可能であればどのような手法を用いて行っても良く、一例として、電子メールやパケット通信、或いは、呼制御サーバを用いたデータ通信、携帯電話網で使用可能な通信チャネルのうち音声通話に使用されているチャネル以外の空きチャネルや管理用チャネル等を用いて行われる。
【００２６】
〔受話側の携帯電話端末におけるディスプレイ画面表示例〕
図２には、上記ユーザＡの携帯電話端末１ａから、上記送話音声データと共に上記音声補正機能の種類及び音声補正処理の調整パラメータに関するデータが送信され、それらのデータを上記ユーザＢの携帯電話端末１ｂが受信した時の当該携帯電話端末１ｂのディスプレイ画面上に表示される情報の一例を示す。
【００２７】
すなわち、本実施形態において、ユーザＢの携帯電話端末１ｂは、図２に示すように、音声通話の相手先であるユーザＡの携帯電話端末１ａから上記音声補正機能の種類及び音声補正処理の調整パラメータに関するデータを受信した場合には、それら音声補正機能の種類及び調整パラメータを例えばディスプレイ画面上に表示することにより、上記携帯電話端末１ａ側における音声補正機能の状況をユーザＢに対して通知する。この図２の例は、ユーザＡの携帯電話端末１ａにてノイズキャンセル機能が「オン」され、そのノイズキャンセルの補正量が例えばレベル「５」に調整されている場合の、当該携帯電話端末１ｂのディスプレイ画面表示例を示している。なお、携帯電話端末１ｂは、上記ディスプレイ画面への表示による通知に代えて若しくはその表示と共に、上記音声補正機能の種類及び音声補正処理の調整パラメータに関する情報を音声により出力することでユーザＢへ通知しても良い。
【００２８】
なお、上記音声補正機能の種類及び音声補正処理の調整パラメータに関するデータと共に、上記携帯電話端末１ａで設定可能な音声補正範囲と現時点での補正量を表すデータをも受け取った場合、本実施形態の携帯電話端末１ｂは、上記ノイズキャンセルの補正量を例えばレベルメータ等のような形態で表示し、ユーザＡの携帯電話端末１ａ側でどの程度の音声補正処理が可能で、且つ現時点でどのレベルの音声補正処理が行われているのかを、ユーザＢへ知らせるようにしても良い。
【００２９】
〔受話側による音声補正機能変更要求と送話側での音声補正処理の調整動作〕
また、本発明の実施形態において、上記携帯電話端末１ａ，１ｂのうちの少なくとも他方の携帯電話端末（本実施形態では受話側となるユーザＢの携帯電話端末１ｂとなる。）は、図３に示すように、送話側であるユーザＡの携帯電話端末１ａに対して、その携帯電話端末１ａでの音声補正処理のオン／オフや音声補正処理の調整等を要求するための「変更要求」を送信する機能を備えている。なお本実施形態において、上記「変更要求」の送信は、ユーザＢが携帯電話端末１ｂに対して予め定めた所定のキー操作を行った時に実行される。
【００３０】
一方、上記送話側のユーザＡの携帯電話端末１ａは、上記ユーザＢの携帯電話端末１ｂからの上記「変更要求」に応じて、自端末１ａでの音声補正処理のオン／オフや音声補正処理の調整等を行う機能を有している。そして、ユーザＡの携帯電話端末１ａは、上記ユーザＢの携帯電話端末１ｂから「変更要求」を受け取り、その「変更要求」に応じて上記音声補正処理のオン／オフや音声補正処理の調整等を行った場合には、それら音声補正処理のオン／オフや音声補正処理の調整等を実行した後の状態を表すデータ（つまり変更後の音声補正機能の種類及び音声補正処理の調整パラメータに関するデータ）を、上記「変更要求」を行ってきた携帯電話端末１ｂへ返信する。
【００３１】
すなわち本発明実施形態によれば、携帯電話端末１ａのユーザＡと携帯電話端末１ｂのユーザＢとの間で音声通話が行われている時に、例えば、ユーザＡの携帯電話端末１ａ側で音声補正処理がオンされ、その補正量が例えば大き過ぎる（音声補正処理が強過ぎる）ために、上記ユーザＢの携帯電話端末１ｂ側でユーザＡの音声を聞き取り難くなっているような場合、当該ユーザＢの携帯電話端末１ｂ側からは、上記ユーザＡの携帯電話端末１ａに対して、その携帯電話端末１ａでの音声補正処理をオフさせたり、音声補正処理の補正量を下げるような調整を要求（「変更要求」）することができ、一方、ユーザＡの携帯電話端末１ａ側では、その「変更要求」に応じて音声補正処理をオフさせたり、音声補正処理の補正量を下げるような調整を行うことができ、さらに、それら音声補正処理のオフや音声補正処理の調整後の状態を表すデータを、上記ユーザＢの携帯電話端末１ｂ側へ返信可能となされている。勿論、ユーザＡの携帯電話端末１ａ側で例えば音声補正処理がオフされていたり、音声補正量が例えば少な過ぎるために、周囲環境騒音によりユーザＡの音声を聞き取り難くなっているような場合には、当該ユーザＢの携帯電話端末１ｂ側からは、上記ユーザＡの携帯電話端末１ａでの音声補正処理をオンさせたり、音声補正処理の補正量を上げるような「変更要求」を送信することができ、その時の、ユーザＡの携帯電話端末１ａ側では、当該「変更要求」に応じて音声補正処理をオンさせたり、音声補正処理の補正量を上げるような調整を行うことができ、さらに、それら音声補正処理のオンや音声補正処理の調整後の状態を表すデータを、上記ユーザＢの携帯電話端末１ｂ側へ返信する。そして、ユーザＢの携帯電話端末１ｂは、それら音声補正処理のオン／オフや音声補正処理の調整後の状態を表すデータを受け取ると、当該受け取ったデータに基づいて前述の図２のようなディスプレイ画面表示を行うことになる。これにより、ユーザＢは、上記「変更要求」が上記ユーザＡの携帯電話端末１ａに反映されたか否かを知ることができるようになる。
【００３２】
また、上記「変更要求」の送信は、ユーザＡの音声を聞き取り易くすることを目的とする場合に限定されず、例えば、ユーザＡの携帯電話端末１ａ側の音声補正処理の実行により、その端末１ａの周囲環境音が殆ど除去されているような時に、その周囲環境音をユーザＢが聞くことを望むような場合も行うことができる。すなわちこの場合、ユーザＢの携帯電話端末１ｂからは、上記音声補正処理をオフさせたり、音声補正処理の補正量を下げるような「変更要求」を送信することになる。
【００３３】
また、本発明実施形態において、ユーザＡの携帯電話端末１ａは、ユーザＢの携帯電話端末１ｂから上記「変更要求」を受け取った場合でも、自端末１ａでの音声補正処理のオン／オフや音声補正処理の調整等を行うことを拒否する設定も可能となされている。すなわち本実施形態によれば、例えば、送話側のユーザＡが自分の居る場所の周囲環境音を通話相手であるユーザＢに聞かれると困るような場合等があること考慮し、通話相手側からの上記音声補正処理のオン／オフや音声補正処理の調整のための「変更要求」を拒否する設定を予め登録しておくことで、情報漏洩やプライバシー侵害を未然に防ぐことも可能となされている。その他、本実施形態の携帯電話端末１ａは、通話相手先の携帯電話端末１ｂに対して、音声補正機能の種類や音声補正処理の調整パラメータに関するデータを送信するかどうかについても、許可或いは拒否する設定も可能となされている。
【００３４】
なお、上述の実施形態では、携帯電話端末１ａと１ｂについてそれぞれ別々に機能の説明を行ったが、それら各機能は携帯電話端末１ａ，１ｂが共に備えていても良い。携帯電話端末１ａ，１ｂの双方が同じ機能を備えている場合、音声通話中の携帯電話端末１ａ，１ｂの間では、通話音声のデータ等に加えて、両端末１ａ，１ｂが有する音声補正処理のオン／オフや音声補正処理の調整等のためのパラメータに関するデータが相互に送受信されることになり、また、「変更要求」や当該「変更要求」に応じた音声補正処理のオン／オフ，音声補正処理の調整等が行われた後の状態を表すデータについても、両端末１ａ，１ｂ間で相互に送受信されることになる。
【００３５】
〔携帯電話端末の概略的な内部構成〕
図４には、本発明実施形態の携帯電話端末１ａ，１ｂの概略的な内部構成を示す。なお、図４は、ユーザＡの携帯電話端末１ａとユーザＢの携帯電話端末１ｂが共に同じ機能を備えている場合の構成例を示している。
【００３６】
図４において、通信アンテナ２２は、例えば内蔵アンテナであり、音声通話やパケット通信、呼制御サーバを用いたデータ通信、音声通話チャネル以外の空きチャネルや管理用チャネル等を用いた通信のための信号電波の送受信を行う。通信回路２１は、送受信信号の周波数変換、変調と復調等を行う。ここで、上記通信アンテナ２２及び通信回路２１の受信データが受話音声のデータである場合、その受話音声のデータはデータラインを介して音声処理部４２へ送られ、一方、本実施形態における音声補正機能の種類及び音声補正処理の調整パラメータに関するデータやそれ以外の各種受信データは一旦、制御部２０へ送られて処理された後、必要に応じて当該制御部２０から各部へ送られる。なお、音声補正機能の種類及び音声補正処理の調整パラメータに関するデータについては、制御部２０にてそのデータの内容が確認され、後述する音声処理部４２内の音声補正機能部４３の制御に用いられる。
【００３７】
スピーカ４０は、本実施形態の携帯電話端末に設けられている受話用のスピーカやリンガ（着信音）、音楽再生、アラーム音出力用のスピーカであり、ディジタル／アナログ変換器と増幅器を含み、通話音声やリンガ音，再生された楽曲のデータを、ディジタル／アナログ変換及び増幅した後、出力する。
【００３８】
マイクロホン４１は、送話用のマイクロホンであり、アナログ／ディジタル変換器と増幅器を含む。このマイクロホン４１を介して入力された送話音声信号は、増幅器により所定のレベルに増幅された後、アナログ／ディジタル変換器によりディジタル音声データに変換され、データラインを介して音声処理部４２へ送られてる。なお、本実施形態の携帯電話端末が例えば送話音声を取り込むためのマイクロホンの指向性を調整或いは切り替えて周囲環境の騒音を取り込まないようにする機能を備えている場合、当該マイクロホン４１は、指向性の調整や切り替えが可能なものとなされる。
【００３９】
音声処理部４２は、上記通信アンテナ２２及び通信回路２１から受話音声データが供給された時、その受話音声データを復号化し、当該復号化後の受話音声データをデータラインを介してスピーカ４０へ送る。また、音声処理部４２は、上記マイクロホン４１から入力された送話音声データが供給された時には、その送話音声データを符号化し、データラインを介して通信回路２１へ送る。
【００４０】
音声処理部４２内に設けられている音声補正機能部４３は、マイクロホン４１から入力された送話音声データに対して、必要に応じて例えば周囲環境騒音成分を除去するようなノイズキャンセル機能等を施す。この音声補正機能部４３によりノイズキャンセル等の音声補正処理が施された後の送話音声データは、音声処理部４２にて符号化された後、データラインを介して通信回路２１へ送られることになる。また、音声補正機能部４３に置ける音声補正機能の種類や調整パラメータのデータは、データラインを介して通信回路２１へ送られる。
【００４１】
これにより、当該携帯電話端末の送話時には、上記送話音声データ若しくは音声補正処理が施された後の送話音声データと、上記音声補正機能の種類や調整パラメータのデータとが、上記通信回路２１及び通信アンテナ２２を通じて送信されて、通話相手先の携帯電話端末へ送られることになる。
【００４２】
操作部２４は、本実施形態の携帯電話端末の筐体上に設けられている１２キー部、矢印キー、発話キー、クリアキー、終話／電源キー、その他のキー操作デバイスと、それら操作デバイスの操作に応じた操作信号を発生する操作信号発生器とからなる。ユーザは、この操作部２４を操作することにより、前述した「変更要求」の入力指示や、通話のための発着呼や電子メール文の作成、電子メールの送受信、インターネットへの接続、メニュー選択等の指示操作を行う。
【００４３】
表示部２３は、本実施形態の携帯電話端末の筐体上に設けられている液晶等のディスプレイとそのディスプレイを駆動するためのディスプレイ駆動回路とからなる。ディスプレイ駆動回路は、画像処理部４４から供給された画像信号に基づいて、上記ディスプレイを駆動する。これにより、ディスプレイには、前述の図２に示したような画像や、その他各種の画像や文字等が表示される。
【００４４】
画像処理部４４は、表示部２３に表示される画像の処理を行う。また、画像処理部４４は、制御部２０による制御の元で、各種のユーザインターフェース画面の表示やウェブページの表示等を行う。
【００４５】
メモリ部２５は、ＲＯＭ（Read Only Memory）とＲＡＭ（Random Access Memory）を含む。ＲＯＭは、ＯＳ（Operating System）、制御部２０が各部を制御するための制御プログラムや各種の初期設定値、フォントデータや各辞書データ、本実施形態にかかる前述した音声補正機能の制御や音声補正機能に関するデータの送受信等にかかわる各種の処理を実行するための音声補正・通信制御プログラム２６、電話帳アプリケーション、その他、一般の携帯電話端末に搭載される各種のアプリケーションプログラム、当該携帯電話端末の識別情報（ＩＤ）などを記憶している。このＲＯＭは、いわゆるＮＡＮＤ型フラッシュメモリ（NAND-type flash memory）のような書き換え可能なＲＯＭをも含み、当該書き換え可能なＲＯＭには、本実施形態にかかる前述した「変更要求」に対する許可／拒否の設定データ、音声補正機能に関するデータの許可／拒否の設定データ、電話帳データ、電子メールデータ、その他、スケジュールデータ、メモ帳データ、画像データ、音楽データ、ダウンロード等されたアプリケーションプログラムコード、各種の設定値等を保存することも可能となされている。ＲＡＭは、制御部２０が各種のデータ処理を行う際の作業領域として、随時データを格納する。
【００４６】
上記制御部２０は、通信回路２１における通信の制御、本実施形態にかかる音声補正・通信制御プログラム２６により実現される各機能（音声補正機能の制御、音声補正機能に関するデータの送受信、「変更要求」データの生成等）の実行、ディスプレイの表示制御、メモリの書き込み／読み出し制御、音声処理，画像処理等の各制御の他、携帯電話端末の各構成要素の制御及び各種演算処理を行う。
【００４７】
その他、図４には図示を省略しているが、本発明の携帯電話端末は、画像の撮影を行うためのカメラ部や、いわゆる電子マネーを扱うための電子財布機能部、現在位置の測位を行うためのＧＰＳ（Global Positioning System）部、例えばいわゆるブルートゥース（BlueTooth：登録商標）方式やＵＷＢ（Ultra Wide Band）方式などによる近距離無線通信を行うための近距離無線通信部、年月日時等の情報を発生したり時間を計測する時計部、外部メモリが接続されるメモリインターフェース部、外部ケーブルが接続されるケーブル用コネクタ部、キー照明や着信ライト用などのＬＥＤ（発光ダイオード）とその駆動部、バイブレータとその駆動部、各部へ電力を供給するバッテリとその電力をコントロールするパワーマネージメントＩＣ部など、一般的な携帯電話端末に設けられる各構成要素についても備えている。
【００４８】
〔送話側の携帯電話端末における音声補正機能に関連する処理〕
図５には、送話側となる本実施形態の携帯電話端末の制御部２０が、上記メモリ部２５に保持されている音声補正・通信制御プログラム２６を実行することにより、各部を制御する際の処理の流れを示す。
【００４９】
図５において、制御部２０は、ステップＳ１にて上記通信回路２１及び通信アンテナ２２を通じた通話接続が行われると、ステップＳ２の処理として、音声処理部４１及び音声補正機能部４３の設定データを見ることにより、自端末に搭載されている音声補正機能の種類と制御部２０が制御可能な音声補正機能があるかどうかについて調べる。このステップＳ２にて、制御部２０は、制御可能な状態の音声補正機能が有る場合にはステップＳ３へ処理を進め、一方、制御可能な状態の音声補正機能が無い場合にはステップＳ９へ処理を進める。
【００５０】
ステップＳ９の処理に進んだ場合、制御部２０は、ステップＳ１０にて相手方からの通信切断若しくは自端末側での終話操作により通話が終了したと判断するまで、そのまま通話処理を続行する。また、ステップＳ１０にて通話が終了したと判断した場合、制御部２０は、この図５のフローチャートの処理を終了する。
【００５１】
ステップＳ３の処理に進んだ場合、制御部２０は、上記制御可能な状態の音声補正機能について、通話相手方からの「変更要求」について許可設定がなされているか否か判定し、許可設定がなされていない場合（「変更要求」の拒否設定されている場合）にはステップＳ９へ処理を進め、許可設定がなされている場合にはステップＳ４へ処理を進める。なお、このステップＳ３では、通信相手方へ音声補正機能に関するデータの送信についての許可設定がなされているか否かの判定も行い、許可設定がなされていない場合（音声補正機能に関するデータの送信拒否設定されている場合）にはステップＳ９へ処理を進め、許可設定がなされている場合にはステップＳ４へ処理を進める。
【００５２】
ステップＳ４の処理に進むと、制御部２０は、制御可能な音声補正機能の種類と当該音声補正処理の調整パラメータを、通信回路２１及び通信アンテナ２２を通じて通話相手先の端末へ送信させる。
【００５３】
次に、制御部２０は、ステップＳ５にて通話処理を続け、さらにステップＳ６にて相手方からの通信切断若しくは自端末側での終話操作により通話が終了したと判断した場合にはこの図５のフローチャートの処理を終了し、一方、通話が終了していない間はステップＳ７へ処理を進める。
【００５４】
ステップＳ７の処理に進むと、制御部２０は、通話相手方の端末から「変更要求」が送られてきたかどうか判定し、「変更要求」が送られてきていない間はステップＳ５へ処理を戻し、一方、「変更要求」が送られてきた時にはステップＳ８へ処理を進める。
【００５５】
ステップＳ８の処理に進むと、制御部２０は、その通話相手方の端末から送られてきた「変更要求」に基づいて、音声補正機能部４３を制御することで、音声補正機能の変更を行う。このステップＳ８の処理後は、ステップＳ４へ処理を戻す。これにより、当該ステップＳ４では、上記変更後の音声補正機能の種類と当該音声補正処理の調整パラメータが通話相手先の端末へ送られることになる。
【００５６】
〔受話側の携帯電話端末における音声補正機能に関連する処理〕
図６には、受話側となる本実施形態の携帯電話端末の制御部２０が、上記メモリ部２５に保持されている音声補正・通信制御プログラム２６を実行することにより、各部を制御する際の処理の流れを示す。
【００５７】
図６において、制御部２０は、ステップＳ２１にて上記通信回路２１及び通信アンテナ２２を通じた通話接続が行われると、ステップＳ２２の処理として、通話相手先の端末（送話側の端末）から音声補正機能の種類とその音声補正処理の調整パラメータに関するデータが送られてきたかどうかを監視し、それら音声補正機能に関するデータが送られてきた場合にはステップＳ２３へ処理を進め、それら音声補正機能に関するデータが送られてきていない間はステップＳ２８へ処理を進める。
【００５８】
ステップＳ２８の処理に進んだ場合、制御部２０は、次のステップＳ２９にて相手方端末からの通信切断若しくは自端末側での終話操作により通話が終了したと判断するか、若しくは、ステップＳ２２にて上記音声補正機能に関するデータが送られてきたと判断されるまで、ステップＳ２８にてそのまま通話処理を続行する。また、ステップＳ２９にて通話が終了したと判断した場合、制御部２０は、この図６のフローチャートの処理を終了する。
【００５９】
ステップＳ２３の処理に進んだ場合、制御部２０は、上記通話相手先から送られてきた音声補正機能の種類とその音声補正処理の調整パラメータに関するデータに基づいて、前述の図２に示したような情報表示を行うための表示データを生成し、その表示データを表示部２３に送る。これにより、表示部２３のディスプレイには、前述の図２に示したような表示によるユーザへの通知が行われる。
【００６０】
次に、制御部２０は、ステップＳ２４にて通話処理を続け、さらにステップＳ２５にて相手方からの通信切断若しくは自端末側での終話操作により通話が終了したと判断した場合にはこの図６のフローチャートの処理を終了し、一方、通話が終了していない間はステップＳ２６へ処理を進める。
【００６１】
ステップＳ２６の処理に進むと、制御部２０は、ユーザから操作部２４を介して「変更要求」を通話相手先へ送るための所定のキー操作入力がなされたか否か判定し、所定のキー操作入力がなされていない場合にはステップＳ２４へ処理を戻し、一方、所定のキー操作入力がなされた場合にはステップＳ２７へ処理を進める。
【００６２】
ステップＳ２７の処理に進むと、制御部２０は、上記所定のキー操作入力に応じた「変更要求」、すなわち通話相手先の何れかの音声補正機能をオン若しくはオフしたり、音声補正処理の調整パラメータをどのように設定するか等のデータが含まれた「変更要求」のデータを生成し、その「変更要求」のデータを通信回路２１及び通信アンテナ２２を通じて、通話相手先の端末へ送信させる。
【００６３】
このステップＳ２７の処理後、制御部２０は、ステップＳ２２へ処理を戻す。そして、この場合のステップＳ２２にて通話相手先の端末から上記「変更要求」後の音声補正機能の種類とその音声補正処理の調整パラメータに関するデータが送られてきたと判断された場合、ステップＳ２３では、当該「変更要求」後の音声補正機能の種類とその音声補正処理の調整パラメータに関するデータに基づく情報表示がなされることになる。
【００６４】
〔まとめ〕
以上説明したように、本実施形態によれば、送話側の携帯電話端末は、自端末に搭載されている音声補正機能の種類とその音声補正処理の調整パラメータを受話側の携帯電話端末へ送信可能となされ、一方、受話側の携帯電話端末は、送話側の携帯電話端末の音声補正機能についての「変更要求」を送信可能となされており、その「変更要求」を受けた送話側の携帯電話端末は、当該「変更要求」に基づいて必要に応じて自端末の音声補正機能の変更及び調整が可能となされているため、また、受話側の携帯電話端末では送話側にて行われている音声補正処理の状況を把握できると同時に、送話側の携帯電話端末に対して音声補正処理の変更を求めることができ、したがって、送話側の携帯電話端末が有する音声補正機能により送話音声から本来必要なデータが失われてしまうような状況の発生を無くすことができ、また、受話側の携帯電話端末で聞き取り易い受話音声が得られるようになり、さらに、受話側の携帯電話端末のユーザが送話音声と同時にその周囲の環境音が聴きたい場合にも対応することができ、送話側の携帯電話端末が有する音声補正機能を必要に応じて有効に活用可能となっている。
【００６５】
なお、上述した実施形態の説明は、本発明の一例である。このため、本発明は上述した各実施形態に限定されることなく、本発明に係る技術的思想を逸脱しない範囲であれば、設計等に応じて種々の変更が可能であることはもちろんである。
【００６６】
例えば前述の実施形態では、音声に対する補正機能について説明したが、例えばいわゆるテレビ電話において、音声と共に送受信される映像に対して補正処理が施されるような場合にも、上述同様に送話側端末で行われる映像補正機能に関するデータを受話側端末へ送り、一方、その受話側端末からの「変更要求」に基づいて送話側端末で映像補正機能の制御を行うようなことも可能である。
【図面の簡単な説明】
【００６７】
【図１】本発明実施形態の携帯電話システムの概略的な構成を示し、特に、通話音声データと共に音声補正機能の種類とその音声補正処理の調整パラメータの通信が行われている状態を示す図である。
【図２】送話側の携帯電話端末から送られた音声補正機能の種類及び音声補正処理の調整パラメータに関するデータが、受話側の携帯電話端末のディスプレイ画面上に表示された際の一表示例を示す図である。
【図３】本発明実施形態の携帯電話システムの概略的な構成を示し、特に、「変更要求」とそれに応じて変更された音声補正機能の種類とその音声補正処理の調整パラメータの通信が行われている状態を示す図である。
【図４】本発明実施形態の携帯電話端末の概略的な内部構成を示すブロック回路図である。
【図５】送話側の携帯電話端末における音声補正機能に関連する処理の流れを示すフローチャートである。
【図６】受話側の携帯電話端末における音声補正機能に関連する処理の流れを示すフローチャートである。
【符号の説明】
【００６８】
Ａ，Ｂ  ユーザ、１ａ，１ｂ  携帯電話端末、５  携帯電話網、１０  ディスプレイ画面、２０  制御部、２１  通信回路、２２  通信用のアンテナ、２３  表示部、２４  操作部、２５  メモリ、２６  音声補正機能制御プログラム、４０  スピーカ、４１  マイクロホン、４２  音声処理部、４３  音声補正機能部、４４  画像処理部
【図１】
2008098841.tif 000003
【図２】
2008098841.tif 000004
【図３】
2008098841.tif 000005
【図４】
2008098841.tif 000006
【図５】
2008098841.tif 000007
【図６】
2008098841.tif 000008